(57)【特許請求の範囲】
【請求項１】
上面デッキボードと下面デッキボードとを隅桁部で連結してなるパレットにおいて、
前記上面デッキボードには、上面から外周側に突出する上面側外周リブが形成され、
前記下面デッキボードには、下面から外周側に突出する下面側外周リブが形成され、
前記隅桁部の外側面は、周回方向に湾曲する円弧面で構成され、前記円弧面の前記周回方向における中央部であって、前記上面デッキボードと前記下面デッキボードの間の厚さ方向に、直線状に延在する複数の第１リブが形成され、
前記複数の第１リブの間、および、前記上面側外周リブと前記第１リブとの間は、前記上面側外周リブおよび前記下面側外周リブが進入可能な間隙部が形成され、
前記第１リブの上面側の端部には、テーパ部が形成され、下面側の端部には、角部が形成されているパレット。
【請求項２】
更に、前記隅桁部の外側面には、前記第１リブの延在方向と平行に、前記第１リブと同じ高さの第２リブが形成されている
請求項１に記載のパレット。
【請求項３】
前記複数の第１リブは、上側第１リブと下側第１リブとを備え、
前記上側第１リブと前記下側第１リブとの間の間隙部は、上面側に偏って位置している
請求項１又は２に記載のパレット。
【請求項４】
当該パレットは、一体成形型パレットである
請求項１〜３の何れか１項に記載のパレット。
【請求項５】
当該パレットは、貼り合わせパレットであり、
前記貼り合わせパレットは、
前記上面デッキボードに上面側隅桁半体が形成された上面側パレット形成部材と、
前記下面デッキボードに下面側隅桁半体が形成された下面側パレット形成部材とを備え、
前記上面側隅桁半体と前記下面側隅桁半体とを突き合わせ結合して前記隅桁部とすることで構成される
請求項１〜３の何れか１項に記載のパレット。
【発明の詳細な説明】
【技術分野】
【０００１】
本発明は、荷物支持のためのパレットに関する。
【背景技術】
【０００２】
特許文献１に示すように、荷物がパレットに積載されるとき、積載物の荷崩れや荷動きを防止するため、ストレッチ包装が行われる。ストレッチ包装では、伸縮性に優れた粘着性を有するストレッチフィルムが、張力をかけられた状態で、積載物からパレットに亘って巻き付けられる。ストレッチフィルムが巻き付けられるパレットには、積載物に巻き付けられたストレッチフィルムのずれを防止するリブが、デッキボードの周縁と略平行な方向に沿って形成されている。
【０００３】
また、特許文献２に示すように、荷物が積載されたパレットは、先に荷物が積載されたパレットの近くに並べて置かれる。このように並置されるパレットには、後に置かれるパレットが先に置かれたパレットの外周リブに乗り上げることを防止する垂直リブを設けたものがある。この垂直リブは、デッキボードの周縁と略直交する方向に沿って、上面デッキボードと下面デッキボードとを連結している。
【先行技術文献】
【特許文献】
【０００４】
【特許文献１】特許第３９９７１４５号公報
【特許文献２】特許第３５７４８７８号公報
【発明の概要】
【発明が解決しようとする課題】
【０００５】
本発明は、簡単な構成で、ストレッチフィルムのずれを抑制することができる新規なパレットを提供することを目的とする。
【課題を解決するための手段】
【０００６】
上記課題を解決するパレットは、上面デッキボードと下面デッキボードとを隅桁部で連結してなるパレットであり、前記下面デッキボードには、下面から外周側に突出する外周リブが形成され、前記隅桁部の外側面には、前記上面デッキボードと前記下面デッキボードの間の厚さ方向に、直線状に間欠して延在する複数の第１リブが形成されている。
【０００７】
上記構成によれば、前記第１リブが間欠して形成されている。したがって、ストレッチフィルムは、前記第１リブの部分が変曲点となって、確実にパレットに巻回され、巻回されたストレッチフィルムがパレットに対してずれることを防止することができる。
【０００８】
上記パレットにおいて、更に、前記隅桁部の外側面には、前記第１リブの延在方向と平行に、前記第１リブと同じ高さの第２リブを形成してもよい。
【０００９】
上記構成によれば、前記第１リブとともに前記隅桁部の強度を補強すると共に、前記第１リブより先に前記第２リブが障害物に当たるようになり、前記第１リブを保護することができる。
【００１０】
上記パレットにおいて、更に、前記第１リブの上面側角部には、テーパ部が形成されていてもよい。
上記構成によれば、更に、前記間隙部に、運搬する前記パレットの前記外周リブが進入することがあるが、この場合、運搬するパレットの外周リブは、前記第１リブの上面側角部のテーパ部によって、円滑に間隙部から外に滑り外れる。
【００１１】
上記パレットは、例えば、一体成形型パレットである。
【００１２】
また、上記パレットは、例えば、貼り合わせパレットである。前記貼り合わせパレットは、前記上面デッキボードに上面側隅桁半体が形成された上面側パレット形成部材と、前記下面デッキボードに下面側隅桁半体が形成された下面側パレット形成部材とを備え、前記上面側隅桁半体と前記下面側隅桁半体とを突き合わせ結合して前記隅桁部とすることで構成することができる。
【発明の効果】
【００１３】
以上のような構成によれば、簡単な構成で、ストレッチフィルムのずれを抑制することができるパレットを実現することができる。
【図面の簡単な説明】
【００１４】
【図１】パレットを積載面側から見た斜視図である。
【図２】パレットを接地面側から見た斜視図である。
【図３】（ａ）はパレットの隅桁部を示す要部斜視図であり、（ｂ）は隅桁部にストレッチフィルムが巻回された状態を示す要部斜視図である。
【図４】パレットにストレッチフィルムが巻回された状態を示す斜視図である。
【図５】互いに隣接してパレットが載置される状態を示す要部側面図である。
【図６】パレットが障害物に当たった状態を示す要部斜視図である。
【図７】パレットの隅部の第１のリブに間隙部を等間隔に多数設けた変形例を示す要部斜視図である。
【図８】パレットの隅部の第２リブに間隙部を設けた変形例を示す要部斜視図である。
【図９】片面使用型の貼り合わせパレットの要部斜視図である。
【図１０】両面使用型の貼り合わせパレットの要部斜視図である。
【図１１】第１リブを２本設けたパレットの要部斜視図である。
【図１２】外周リブの厚さより第１間隙部を狭くしたパレットの要部斜視図である。
【発明を実施するための形態】
【００１５】
以下、本発明におけるパレットを具体化した一実施の形態を、図面を参照して説明する。
図１及び図２に示すように、パレット１は、片面使用の四方差しパレットであって、載置面１２が形成される上面デッキボード１１と、接地面２２が形成される下面デッキボード２１と、上面デッキボード１１と下面デッキボード２１とを結合する４つの隅桁部３１とを備える。また、互いに隣り合う２つの隅桁部３１の間には、中間桁部３２が形成され、更に、上面デッキボード１１と下面デッキボード２１の中央部、すなわち中間桁部３２，３２の間には、中央桁部３３が形成されている。このパレット１は、全体が矩形板状をなす合成樹脂製パレットであって、ポリプロピレンやリサイクルポリプロピレン等の合成樹脂材料を原料とし、例えば一体射出成形により成形されている。
【００１６】
このパレット１において、長辺方向には、隅桁部３１と中間桁部３２との間に、フォークリフトやハンドリフト等の運搬機械のフォークが差し込まれる第１差込口３４が形成されている。また、短辺方向には、隅桁部３１と中間桁部３２との間に、運搬機械のフォークが差し込まれる第２差込口３５が形成されている。
【００１７】
上面デッキボード１１は、上面が段ボール箱等の荷物が載置される載置面１２となっており、環状の外側面部１３の内側に、格子状の桟１４が形成されている。外側面部１３には、載置面１２と略面一に外側に張り出すように上面側外周リブ１５が形成されている。上面側外周リブ１５は、外側面部１３を補強し、また、例えば障害物が直接、外側面部１３に当たらないように保護する。
【００１８】
図２に示すように、下面デッキボード２１は、隅桁部３１と中間桁部３２とに架け渡して形成されている。すなわち、下面デッキボード２１は、外周に沿って矩形環状をなすように形成されている。また、下面デッキボード２１は、中間桁部３２と中央桁部３３に架け渡して十字状に形成されている。外周に沿って形成される下面デッキボード２１にも、接地面２２と略面一に外側に張り出すように下面側外周リブ２３が形成されている。下面側外周リブ２３は、外側面部１３を補強し、例えば障害物が直接、外側面部１３に当たらないように保護する。
【００１９】
図３（ａ）に示すように、各隅桁部３１にも、上端に、上面側外周リブ１５が形成され、下端に、下面側外周リブ２３が形成されている。各隅桁部３１は、その外側面３１ａが面取りされ、周回方向に湾曲する円弧面をなしている。この外側面３１ａにおいて、上面側外周リブ１５と下面側外周リブ２３との間には、複数の第１リブ４１が形成されている。複数の第１リブ４１は、円弧面の中央部に、厚さ方向に直線状に延在して形成されている。すなわち、第１リブ４１は、上面側外周リブ１５と下面側外周リブ２３に対して垂直に設けられている。そして、互いに隣接する２つの第１リブ４１の間には、第１間隙部４２が形成されている。第１間隙部４２は、第１リブ４１間の他、上面側外周リブ１５との間にも形成されている。
【００２０】
第１リブ４１は、上面側外周リブ１５及び下面側外周リブ２３と協働して、各隅桁部３１を補強し、また、例えば障害物が直接、外側面部１３に当たらないようにする。また、複数の第１リブ４１の中で、最も下側の第１リブ４１ａは、ここでは、下面側外周リブ２３と連続して形成され、間に間隙を設けた場合より強度が高められている。また、下側の第１リブ４１ａは、下面側外周リブ２３と隙間なく連続することで、パレット１を隣接して載置する際に、一方のパレット１の下面側外周リブ２３が他方のパレット１の下面側外周リブ２３に乗り上がることを抑制する。
【００２１】
また、図３（ａ）に示すように、上面側外周リブ１５と下面側外周リブ２３とは略同じ高さに形成されており、第１リブ４１も、上面側外周リブ１５及び下面側外周リブ２３と略同じ高さに形成されている。すなわち、上面側外周リブ１５の高さを（Ｈ１）、下面側外周リブ２３の高さを（Ｈ２）、第１リブ４１の高さを（Ｈ３）とすると、（Ｈ１）≒（Ｈ２）≒（Ｈ３）の関係を満たしている。隅桁部３１では、各リブ２３，４１の高さを揃えることで、上面側外周リブ１５と第１リブ４１との間に段差が生じたり、下面側外周リブ２３と第１リブ４１との間に段差が生じないようにしている。これにより、パレット１を隣接して載置する際に、一方のパレット１の下面側外周リブ２３が他方のパレット１の下面側外周リブ２３に乗り上げてしまうことを防止している。
【００２２】
互いに隣り合う２つの第１リブ４１の間に形成される第１間隙部４２には、荷崩れ防止のため伸縮性に優れた粘着性を有するストレッチフィルム５０が進入する。これによりストレッチフィルム５０は、第１リブ４１の部分が変曲点となって、第１リブ４１の下面側の角部４０に係止される。すなわち、図３（ｂ）及び図４に示すように、パレット１は、載置面１２に荷物が積載されると、積載物の荷崩れ防止のためストレッチフィルム５０が積載物やパレット１の外側面部１３に跨って延伸させながら多重に巻き上げられる。図３（ｂ）に示すように、巻き上げられたストレッチフィルム５０は、厚さが２０μｍ程度の合成樹脂フィルムであり、外側面部１３の部分において、第１間隙部４２に進入し、第１リブ４１の上面側のテーパ部４０ａや下面側の角部４０に係止される。また、ストレッチフィルム５０は、長手方向の両側縁部も第１間隙部４２に進入するし、幅方向の中程であっても、延伸されていることで、食い込むようにして、第１間隙部４２に進入する。ストレッチフィルム５０は、第１リブ４１の部分が変曲点となって、第１リブ４１の下面側の角部４０に係止され、外側面部１３に対してずれて弛むことが抑制される。
【００２３】
図３（ａ）に示すように、ここでは、複数の第１間隙部４２は、隅桁部３１の外側面３１ａの厚さ方向の全体に亘って均等に設けられているのではなく、厚さ方向の半分より上面デッキボード１１側に偏って形成されている。ここでは、複数の第１間隙部４２は、接地面より３／４程度の高さまで上側に偏って形成されている。外側面３１ａの厚さ方向の半分より下面デッキボード２１側は、地面に近く、載置された荷物１００に跨ってストレッチフィルム５０が巻回される量も少なく、ストレッチフィルム５０のずれが外側面３１ａの厚さ方向の半分の上側より問題になりにくいからである。
【００２４】
特に、ストレッチフィルムを係止する第１リブ４１の下面側の角部４０は、直角に近い形状に形成されている。これにより、ストレッチフィルム５０は、角部４０に食い込み確実に係止され、外側面部１３に対してずれることを防止することができる。また、第１リブ４１の上面側の角部は、鈍角をなすように形成されており、上面側から下面側へ外側に向かって傾斜するテーパ部４０ａとなっている。第１間隙部４２は、上面側外周リブ１５や下面側外周リブ２３の厚さより広い。したがって、第１間隙部４２に進入した上面側外周リブ１５や下面側外周リブ２３は、テーパ部４０ａに倣って滑るように外れる。勿論、下面側の角部４０についても、テーパ部を形成し、第１リブ４１を全体として台形状にしてもよい。ストレッチフィルム５０は、第１リブ４１により変曲点が設けられることで、パレット１にしっかりと巻き付けることができるからである。
【００２５】
図３（ａ）に示すように、更に、各隅桁部３１の外側面３１ａには、第１リブ４１の延在方向と平行に、第２リブ４３が形成されている。第１リブ４１の両側の第２リブ４３も、その高さ（Ｈ４）が上面側外周リブ１５の高さ（Ｈ１）や下面側外周リブ２３の高さ（Ｈ２）や第１リブ４１の高さ（Ｈ３）と略同じになっている。また、第２リブ４３は、上面側外周リブ１５及び下面側外周リブ２３との間に間隙を設けることなく、連続するように形成されている。第２リブ４３は、上面側外周リブ１５及び下面側外周リブ２３や第１リブ４１と協働して、各隅桁部３１を補強する。また、例えば障害物が直接、外側面部１３に当たらないように保護する。更に、パレット１を隣接して載置する際に、一方のパレット１の下面側外周リブ２３が他方のパレット１の下面側外周リブ２３に乗り上げてしまうことを防止する。また、下側の第２リブ４３は、下面側外周リブ２３と隙間なく連続することで、パレット１を隣接して載置する際に、一方のパレット１の下面側外周リブ２３が他方のパレット１の下面側外周リブ２３に乗り上がることを抑制する。
【００２６】
以上のように構成されたパレット１は、図４に示すように、上面デッキボード１１の載置面１２に段ボール等の荷物１００が整列した状態で積載される。この後、荷物１００が積載されたパレット１には、荷崩れ防止のため、ストレッチフィルム５０が自動巻き機によって巻回される。一般に、ストレッチフィルム５０は、伸縮性に優れた粘着性を有する２０μｍ程度のフィルムであって、延伸させながら、積み荷やパレット１の外側面部１３に跨って多重に巻き上げられる。ここで、図３（ｂ）に示すように、第１リブ４１は、ストレッチフィルム５０に変曲点を形成することで、巻き上げられたストレッチフィルム５０を確実に係止することができる。特に、第１リブ４１の下面側の角部４０は、直角に近い形状に形成されているので、巻き上げられたストレッチフィルム５０が確実に係止される。したがって、ストレッチフィルム５０が例えばずれて弛むことにより、荷崩れが発生することを防止することができる。
【００２７】
また、図５に示すように、パレット１をコンベアで搬送する際に、互いに隣接するパレット１が近接する場合であっても、第１リブ４１や第２リブ４３が下面側外周リブ２３と連続して形成されている。したがって、一方のパレット１の下面側外周リブ２３が他方のパレット１の下面側外周リブ２３に乗り上げてしまうことを防止することができる。
【００２８】
更に、図５に示すように、フォークリフトやハンドリフト等の運搬機械でパレット１を持ち上げて運搬し、既に載置されているパレット１の隣に近接させて配置する際に、高さ方向にずれて、第１リブ４１の間の第１間隙部４２に誤って上面側外周リブ１５や下面側外周リブ２３が進入することがある。この場合、進入した上面側外周リブ１５や下面側外周リブ２３は、直下に位置する第１リブ４１のテーパ部４０ａに倣って円滑に外れることができる。
【００２９】
更に、第１リブ４１は、第２リブ４３のように、上面側外周リブ１５と下面側外周リブ２３との間に連続して形成されておらず、第１間隙部４２が介在するため、第２リブ４３より強度が低く、破損しやすい。しかし、図６に示すように、第１リブ４１の近くには、第２リブ４３が形成されているので、障害物９０が第１リブ４１に当たる前に第２リブ４３に当たる。したがって、ストレッチフィルム５０のずれを防止する第１リブ４１が破損することを防止することができる。
【００３０】
上記実施の形態によれば、以下のように列挙する効果を得ることができる。
（１）ストレッチフィルム５０がパレット１に巻回される際に、第１リブ４１の部分は、変曲点となる。したがって、パレット１には、確実にストレッチフィルム５０が自動巻き機によって巻回される。更に、第１リブ４１の下側の角部４０は、直角に近い形状に形成されているので、ストレッチフィルム５０が確実に係止され、ストレッチフィルム５０が例えばずれて弛むことにより、荷崩れが発生することを抑えることができる。すなわち、パレット１は、第２リブ４３とは別に形成した第１リブ４１に第１間隙部４２を設けるだけの簡単な構成で、ストレッチフィルム５０のずれを防止することができる。
【００３１】
（２）第１間隙部４２は、上面側外周リブ１５や下面側外周リブ２３の厚さより広い。そして、第１リブ４１の上面側は、上面側から下面側へ外側に向かって傾斜するテーパ部４０ａとなっている。したがって、第１間隙部４２に進入した上面側外周リブ１５や下面側外周リブ２３は、第１間隙部４２から容易に外れる。
【００３２】
（３）各隅桁部３１は、上面側外周リブ１５や下面側外周リブ２３の他に、第１リブ４１を設け、更に、第１リブ４１の両側に第２リブ４３を設けることで、強度を高めることができる。
【００３３】
（４）下面側外周リブ２３と第１リブ４１とが連続して形成され、下面側外周リブ２３が第１リブ４１に対して張り出す段差が形成されていない。したがって、この点でも、一方のパレット１の下面側外周リブ２３が他方のパレット１の下面側外周リブ２３に乗り上げてしまうことを抑制することができる。
【００３４】
（５）第１リブ４１の近くには、第２リブ４３が形成されているので、障害物９０が第１リブ４１に当たる前に第２リブ４３に当たる。したがって、ストレッチフィルム５０のずれを防止する第１リブ４１が破損することを防止することができる。
【００３５】
なお、上記実施形態は、以下のように適宜変更して実施することもできる。
・図７に示すように、第１リブ４１の間に形成される第１間隙部４２を、図３（ａ）の例より多く設けるようにしてもよい。ここでは、第１間隙部４２を５つ、等間隔に設けている。これにより、パレット１に巻き上げられたストレッチフィルム５０は、第１リブ４１により多くの変曲点が形成され、また、第１リブ４１の下面側の角部４０も多く有することになる。これにより、ストレッチフィルム５０は、第１リブ４１に一層確実に係止されることになり、一層パレット１の外側面部１３に対してずれることが抑制され、荷崩れの発生を抑制することができる。なお、第１リブ４１や第１間隙部４２の数は特に限定されるものではない。また、第１間隙部４２は不等間隔又は不規則に形成してもよい。
【００３６】
以上の場合にも、第１間隙部４２が外周リブ１５，２３の厚さより広くなるようにする。また、複数の第１リブ４１の中で、最も下側の第１リブ４１ａは、下面側外周リブ２３と連続して設け、間に間隙を設けた場合より強度が高くすることもできる。
【００３７】
・図８に示すように、第２リブ４３も、第１リブ４１のように間欠的に設けるようにし、第２リブ４３の間に第２間隙部４４を設けるようにしてもよい。これにより、ストレッチフィルム５０は、第１リブ４１の角部４０の他に第２リブ４３の部分でも変曲点が形成され、更に下面側の角部４５に係止されることで、より一層ずれが防止される。また、第２リブ４３の上面側にもテーパ部４０ａと同様のテーパ部４５ａを形成してもよい。第２リブ４３に第２間隙部４４を設ける場合にあっても、第２間隙部４４が外周リブ１５，２３の厚さより広くすることで、第１リブ４１及び第１間隙部４２と同様な効果を得ることができる。なお、第１間隙部４２と第２間隙部４４の形成されている接地面２２からの高さは、図９のように揃っていてもよいし、高さが異なって揃っていなくてもよい。
【００３８】
・図９は、貼り合わせパレット６０を示す。この貼り合わせパレット６０は、片面使用型のパレットであって、上面側パレット形成部材６１と下面側パレット形成部材７１とを突き合わせて結合して構成されている。上面側パレット形成部材６１は、上述した上面デッキボード１１と略同じ構成を有する上面デッキボード６２と隅桁部８１を構成する上面側隅桁半体６３を有する。また、下面側パレット形成部材７１は、上面デッキボード６２と略同じ構成をした下面デッキボード７２と隅桁部８１を構成する下面側隅桁半体７３を有する。
【００３９】
上面側パレット形成部材６１と下面側パレット形成部材７１とは、上面側隅桁半体６３と下面側隅桁半体７３とを突き合わせ溶着等によって結合することによって構成される。以上のように構成された、貼り合わせパレット６０の隅桁部８１には、厚さ方向の中程に、上面側パレット形成部材６１と下面側パレット形成部材７１との接合ラインとなる接合部８２が形成される。隅桁部８１には、その外側面８１ａに、複数の第１リブ８３が厚さ方向に直線状に延在して形成されている。また、互いに隣接する２つの第１リブ８３の間及び上面側外周リブと上面側の第１リブ８３との間には、第１間隙部８４が形成されている。なお、第１リブ８３と第１間隙部８４の機能は、上述した第１リブ４１と第１間隙部４２と同様な機能を有するので詳細は省略する。
【００４０】
第１リブ８３は、接合部８２に位置してもよいが、ここでは、厚さ方向の中程に位置する第１間隙部８４ａが、接合部８２に位置し、第１リブ８３の端面同士が溶着されないようにしている。これにより、第１リブ８３には、接合部８２に形成されるバリ等が形成されることを防止することができる。すなわち、第１リブ８３が溶着時に変形してしまうことを防止することができる。あわせて、第２リブ４３についても、接合部８２の位置に第２間隙部８５を形成し、第１リブ８３や第１間隙部８４と同様な効果を得るようにしている。また、第１リブ８３の上面側角部には、テーパ部４０ａと同様なテーパ部８３ａを形成する。
【００４１】
この図９に示す片面使用型の貼り合わせパレット６０では、上面側パレット形成部材６１と下面側パレット形成部材７１の形状が異なる。したがって、上面側パレット形成部材６１を成形する金型と下面側パレット形成部材７１を成形する金型とが異なるものとなる。したがって、上面側パレット形成部材６１の第１リブ８３に限って、第１間隙部８４を形成する構成とすることができる。
【００４２】
なお、この貼り合わせパレット６０についても、以下のように適宜変更して実施することもできる。
・図１０は、両面使用型の貼り合わせパレットである。このパレットでは、上面側パレット形成部材６１と下面側パレット形成部材７１の形状が略同じである。したがって、上面側パレット形成部材６１と下面側パレット形成部材７１とは略同じ金型が用いられる。したがって、図１０に示すように、上面側パレット形成部材６１にも下面側パレット形成部材７１にも、略同じ構成の第１リブ８３と第１間隙部８４が形成される。
【００４３】
・図７に示すように、第１リブ８３の間に形成される第１間隙部８４を、図９の例より多く設けるようにしてもよい。
・図８に示すように、第２リブ４３も、第１リブ８３のように間欠的に設けるようにし、第２リブ４３の間に第２間隙部４４を設けるようにしてもよい。また、第２リブ４３にも、上面側角部にテーパ部４５ａを形成してもよい。また、下面側角部は、直角に近い形状をなすように形成してもよい。
【００４４】
パレット１，６０は、以下のように適宜変更して実施することもできる。
・パレット１，６０は、少なくとも第１リブ４１や第１リブ８３を設けるのであれば、第２リブ４３を省略してもよい。
・第１リブ４１や第１リブ８３は、下面側外周リブ２３との間にも第１間隙部４２，８４を形成するようにしてもよい。
・図１１に示すように、パレット１，６０は、直線状に一本設けるだけでなく、複数本形成するようにしてもよい。ここでは、第１リブ４１を平行に２本形成している。第１リブ４１は、多く設けるほど、ストレッチフィルム５０の変曲点が増え、一層、ストレッチフィルム５０をパレット１，６０に巻回することができる。
【００４５】
・第１リブ４１，８３や第２リブ４３の上側又は下側に形成されるテーパ部４０ａ，４５ａ，８３ａは、形成しなくてもよい。この場合、第１リブ４１，８３や第２リブ４３の上側又は下側端部は、直角に近い形状に形成されることになる。
【００４６】
・図１２に示すように、第１間隙部４２は、その長さ（Ｇ）が上面側外周リブ１５や下面側外周リブ２３の厚さ（Ｔ）より狭くなるようにしてもよい。これにより、パレット１の運搬時等に、誤って上面側外周リブ１５や下面側外周リブ２３が第１間隙部４２に挟まってしまうことを防止することができる。この場合、第１間隙部４２の長さ（Ｇ）が上面側外周リブ１５や下面側外周リブ２３の厚さ（Ｔ）より広い場合に形成したテーパ部４０ａをなくすこともできる。なお、この点は、貼り合わせパレット６０についても同様である。
【００４７】
・第１リブ４１や第１リブ８３は、中間桁部３２の外面にも設けてもよい。また、第２リブ４３も、中間桁部３２の外面に設けてもよい。
・第１リブ４１，８３や第２リブ４３は、上面側外周リブ１５と下面側外周リブ２３に対して垂直ではなく斜めに形成されていてもよい。
【００４８】
・第１リブ４１，８３は、上面側外周リブ１５と連続するように形成してもよい。すなわち、第１リブ４１，８３は、上面側外周リブ１５との間には、第１間隙部４２，８４を形成しなくてもよい。これにより、更に強度を高めることができる。
・第１リブ４１，８３は、その形状が長板状に限定されるものではない。第１リブ４１，８３は、例えば円柱、角柱、円錐台といった柱状のものを直線状に間欠して並べたものであっても、ランダムに配置したものであってもよい。
・第１リブ４１，８３は、必ずしもその高さが上面側外周リブ１５や下面側外周リブ２３の高さと揃っている必要はなく、上面側外周リブ１５や下面側外周リブ２３の高さより高くても低くてもよい。また、第１リブ４１，８３と第２リブ４３とも高さが異なっていてもよい。更に、第２リブ４３も上面側外周リブ１５や下面側外周リブ２３の高さと揃っていなくてもよい。
【００４９】
・パレット１，６０としては、矩形状をなすものであっても、長辺と短辺との比が図１及び図２に示したものに限定されるものではい。また、パレット１は、矩形状に限定されるものではなく、三角形状のものや五角形以上の多角形であってもよい。また、台形状、菱形状といった他の四角形であってもよい。更に、円形状や楕円状であってもよい。
【００５０】
・パレット１，６０としては、四方差しパレットではなく、二方差しパレットであってもよい。更に、パレット１は、一体成形型の片面使用パレットの他、一体成形型の両面使用パレットであってもよい。また、一体成形型のパレットにおいては、単面使用形となるスキッドタイプであってもよい。更に、四方差しパレットではあるがパレットトラックなどによる荷役が２方向にしかできない準四方パレットであってもよい。
・パレット１，６０は、金属製であってもよいし、木製であってもよく、材料は特に限定されるものではない。
【符号の説明】
【００５１】
１…パレット、１１…上面デッキボード、１２…載置面、１３…外側面部、１４…桟、１５…上面側外周リブ、２１…下面デッキボード、２２…接地面、２３…下面側外周リブ、３１…隅桁部、３１ａ…外側面、３２…中間桁部、３３…中央桁部、３４…第１差込口、３５…第２差込口、４０…角部、４０ａ…テーパ部、４１…第１リブ、４１ａ…第１リブ、４２…第１間隙部、４３…第２リブ、４４…第２間隙部、４５…角部、４５ａ…テーパ部、５０…ストレッチフィルム、６０…貼り合わせパレット、６１…上面側パレット形成部材、６２…上面デッキボード、６３…上面側隅桁半体、７１…下面側パレット形成部材、７２…下面デッキボード、７３…下面側隅桁半体、８１…隅桁部、８１ａ…外側面、８２…接合部、８３…第１リブ、８３ａ…テーパ部、８４…第１間隙部、８４ａ…第１間隙部、８５…第２間隙部、９０…障害物、１００…荷物。
【図１】
0006345566.tif 000002
【図２】
0006345566.tif 000003
【図３】
0006345566.tif 000004
【図４】
0006345566.tif 000005
【図５】
0006345566.tif 000006
【図６】
0006345566.tif 000007
【図７】
0006345566.tif 000008
【図８】
0006345566.tif 000009
【図９】
0006345566.tif 000010
【図１０】
0006345566.tif 000011
【図１１】
0006345566.tif 000012
【図１２】
0006345566.tif 000013